(57)【特許請求の範囲】
【請求項１】
スタビライザおよび舌部を含むフロントガイダとリヤガイダとからなる送風路内に、前記スタビライザに対向するクロスフローファンを設けてなる空気調和機において、
前記クロスフローファンと前記スタビライザとによるギャップ部が、前記クロスフローファンの中央部から両端部に向けて漸次拡大するように構成されるとともに、前記舌部と前記リヤガイダとにより形成される風路が、前記ギャップ部の拡大に対応して漸次縮小されるように構成されてなることを特徴とする空気調和機。
【請求項２】
前記スタビライザの上端部が、同スタビライザの舌部と平行に形成されてなることを特徴とする請求項１に記載の空気調和機。
【発明の詳細な説明】
【技術分野】
【０００１】
本発明は、空気調和機に係わり、より詳細には、スタビライザの吸込領域と吹出領域の夫々でクロスフローファンの軸線方向における送風時の圧力変動に時間差（位相差）を設け、圧力変動のピークレベルの低減をはかることにより、送風性能が損なわれることなく騒音の発生を防止できるようにした構造に関するものである。
【背景技術】
【０００２】
従来の空気調和機においては、スタビライザの製作が容易かつ確実な騒音低減効果が得られる空気調和機用横流ファン送風器として、多数の単位ファンが一列に設けられる横流ファンと、横流ファンの駆動力を提供するモータと、横流ファンにより送風される空気の流路を提供するリヤガイドと、横流ファンの前方に設けられ、横流ファンの外周面と適正間隔を保つ半円状の対向部を揃え、横流ファンの回転時発生される渦流を安定させるスタビライザの対向部には、その頂点は横流ファンの外周面と常に適正間隔を保ちながら頂点の位置が横流ファンの回転時横流ファンの軸方向を追って連続的かつ規則的に変わることにより騒音発生時点を分散させるリブが形成されてなるものが開示されていた（例えば、特許文献１参照。）。
【０００３】
しかしながら、上記構成においては、特開平１１−３０４１７８号公報に添付された図２〜図７に示すように、スタビライザ30は横流ファン10と向かい合う位置にその断面が略半円状の対向部31を持ち、対向部31にはリブ31a が形成されているが、半円状の対向部31はスタビライザ30下方の流路内に突出するように垂下した構成になっており、これによって、対向部31の下端が該流路内における送風性能に悪影響を与えてしまうおそれがあった。
【０００４】
また、貫流送風機内蔵型空気調和機として、スタビライザおよび後壁により画成された流路内に貫流送風機を配設してなる空気調和機において、スタビライザと貫流送風機との隙間をこの貫流送風機の軸線方向に沿って少なくとも両端のうち一端の一部区間を一定とし、この一定区間以外の区間は貫流送風機の他端に向かうに従って漸減するようにすると共に、スタビライザの上端を高低を有する形状としてなるものが開示されていた（例えば、特許文献２参照。）。
【０００５】
しかしながら、上記構成においては、特開平４−３５６６３０号公報に添付された図１および図２に示すように、スタビライザと貫流送風機との隙間がＢ区間において貫流送風機の他端に向かうに従って漸減すると共に、スタビライザの上端を高低を有する形状としているが、とくに貫流送風機の長さによっては、スタビライザと貫流送風機との隙間を好適な漸減量で適正に設定することが困難になったり、また、スタビライザの上端の高低を適正に設定することが困難になるおそれがあった。
【０００６】
【特許文献１】特開平１１−３０４１７８号公報
【特許文献２】特開平４−３５６６３０号公報
【発明の開示】
【発明が解決しようとする課題】
【０００７】
そこで、本発明は上述した課題を解決するためになされたものであって、その目的は、スタビライザの吸込領域と吹出領域の夫々でクロスフローファンの軸線方向における送風時の圧力変動に時間差（位相差）を設け、圧力変動のピークレベルの低減をはかることにより、送風性能が損なわれることなく騒音の発生を防止できるようにした空気調和機を提供することにある。
【課題を解決するための手段】
【０００８】
上述した目的を達成するため、本発明は以下に示すいくつかの特徴を備えている。
スタビライザおよび舌部を含むフロントガイダとリヤガイダとからなる送風路内に、前記スタビライザに対向するクロスフローファンを設けてなる空気調和機において、
前記クロスフローファンと前記スタビライザとによるギャップ部が、前記クロスフローファンの中央部から両端部に向けて漸次拡大するように構成されるとともに、前記舌部と前記リヤガイダとにより形成される風路が、前記ギャップ部の拡大に対応して漸次縮小されるように構成されてなることを特徴としている。
【０００９】
また、前記スタビライザの上端部が、同スタビライザの舌部と平行に形成されてなることを特徴としている。
【発明の効果】
【００１０】
本発明によれば、クロスフローファンとこれに対向するスタビライザとによるギャップ部が、前記クロスフローファンの中央部から両端部に向けて漸次拡大するように構成されるとともに、フロントガイダの一部をなす舌部とリヤガイダとにより形成される風路が、前記ギャップ部の拡大に対応して漸次縮小されるように構成されたことにより、送風時の圧力変動に時間差（位相差）が発生するようになって、圧力変動のピークレベルの低減をはかり騒音を防止できるようになる。
【００１１】
また、前記スタビライザの上端部が、前記舌部と平行に形成されたことにより、熱交換器を通過した空気の吸込み側にも圧力変動の時間差（位相差）を与えるための傾斜を付加した構成となり、圧力変動のピークレベルの低減を更に効果的にはかって騒音を防止できるようになる。
【発明を実施するための最良の形態】
【００１２】
次に、本発明の実施形態について図面を参照しながら説明する。
図１は本発明による空気調和機の説明図で、（Ａ）は正面図、（Ｂ）は縦断面図であり、図２は本発明による空気調和機の実施例１を示す要部説明図で、（Ａ）は斜視図、（Ｂ）は（Ａ）で示すＡ矢視図であり、図３は実施例１を示す要部説明図で、（Ａ）は図２（Ａ）で示すＢ矢視図、（Ｂ）は図２（Ａ）で示すＣ矢視図であり、図４は本発明による空気調和機の実施例２を示す要部説明図で、（Ａ）は斜視図、（Ｂ）は（Ａ）で示すＡ矢視図、（Ｃ）は（Ａ）で示すＢ矢視図であり、図５はクロスフローファンの発生する圧力の時刻暦波形の重ね合わせを示すグラフである。
【００１３】
本発明に係る空気調和機は、図に示すように、本体上部に設けられた吸込口ａと本体下部に設けられた吹出口ｂとを結ぶ空気通路に、前記吸込口ａから吸い込まれた空気中の塵埃を除去するフィルタｃと、塵埃を除去した空気を熱交換する熱交換器ｅと、スタビライザ1aおよび舌部1bを含むフロントガイダ１とリヤガイダ２とにより形成した送風路３内に前記スタビライザ1aに対向して配置されるクロスフローファン４とを設けた構成になっている。
【００１４】
前記フィルタｃは、近年、同フィルタｃに付着した塵埃を自動清掃装置ｄによって一定時間毎に自動的に除去することにより、該箇所における通風抵抗が大きくなってしまわないようにして、騒音を発生させることなく効率のよい運転を行えるようにしている。
【００１５】
そして、前記自動清掃装置ｄによって細かい塵埃を容易に除去できるようにするため、前記フィルタｃは、従来のフィルタ以上に目が細かく空気抵抗の大きいものが使用されていることから、前記クロスフローファン４は高速回転域で使用することで高風量化を実現せざるを得ず、従来のフィルタを搭載する場合に比べて高騒音化を避けにくい傾向になっているという課題を解決するため、本発明においては、前記スタビライザ1aおよび前記舌部1bを含む前記フロントガイダ１に工夫を加えることによって、風量を低下させることなく騒音の発生を抑えるように構成している。
【実施例１】
【００１６】
前記スタビライザ1aおよび前記舌部1bを含む前記フロントガイダ１は、実施例１として図２（Ａ）および図２（Ｂ）に示すように、Ｗ／２位置となる中央部からその両側部に向けて傾斜角βで上方に傾斜するように形成されており、同フロントガイダ１の中央部と両側部とにおいて高さｈで示すような高低差が生じるようになっている。
【００１７】
なお、前記クロスフローファン４に対する前記傾斜角βは、縦断面図として示す図３（Ｂ）によって、前記クロスフローファン４の軸線と、前記スタビライザ1aの上端部1a' を結ぶ線と、前記舌部1bの両側部を結ぶ線とがなす角度θ1 と、前記クロスフローファン４の軸線と、前記スタビライザ1aの上端部1a' を結ぶ線と、前記舌部1bの中央部を結ぶ線とがなす角度θ2 との角度差として示されている。
【００１８】
これにより、前記スタビライザ1aおよび前記舌部1bを含む前記フロントガイダ１の左右（長手）方向における送風時の圧力変動に時間差（位相差）を発生させるようにした構造になって、該箇所における騒音の発生を抑えることができるようになる。
【００１９】
また、実施例１として、図３（Ａ）および図３（Ｂ）に示すギャップ部L1およびL2のように、前記クロスフローファン４と、これに対向する前記スタビライザ1aとの隙間が、前記クロスフローファン４の軸線方向の中央部から両側部に向けて傾斜角αにより漸次拡大するように構成されている。
【００２０】
なお、前記舌部1bと前記リヤガイダ２とによって形成される風路（前記送風路３の一部）は、図２（Ａ）および図２（Ｂ）に基づいて上述したように、前記舌部1bの中央部と両側部とにおいて高さｈで示すような高低差が生じるように形成したことで、前記ギャップ部の拡大に対応して漸次縮小されるように構成されている。
【００２１】
これにより、図２（Ａ）および図２（Ｂ）に示すように、前記スタビライザ1aおよび前記舌部1bを含む前記フロントガイダ１の構造によって生じる風量の低下や、渦中心静圧の低下を防止して空力性能を損ねないようにすることができるようになり、図５に太線で示すように、前記クロスフローファン４の１ブロック内の複数箇所で同位置の発生する圧力の時刻暦波形（圧力変動とその重ね合わせ波形）のようになって、風量を低下させることなく騒音の発生（のピーク値：Ｐｓ(t) ）を効果的に抑える（低減させる）ことができるようになる。
【実施例２】
【００２２】
次に、実施例２について図４（Ａ）乃至図４（Ｃ）に基づいて説明する。
前記スタビライザ1aの上端部1a' が前記舌部1bと平行に形成されたことにより、図１（Ｂ）に基づいて説明した前記熱交換器ｅを通過した空気の吸込み側にも、圧力変動の位相差を与えるための傾斜を付加させた構成にしている。
【００２３】
これにより、前記スタビライザ1aおよび前記舌部1bを含む前記フロントガイダ１の左右（長手）方向において、上述した実施例１における作用効果に加えて、送風時の空気の吸込み側における圧力変動のピークレベルの低減をはかることができるようになり、騒音の発生を更に効果的に防止することができるようになる。
【図面の簡単な説明】
【００２４】
【図１】本発明による空気調和機の説明図で、（Ａ）は正面図であり、（Ｂ）は縦断面図である。
【図２】本発明による空気調和機の実施例１を示す要部説明図で、（Ａ）は斜視図であり、（Ｂ）は（Ａ）で示すＡ矢視図である。
【図３】本発明による空気調和機の実施例１を示す要部説明図で、（Ａ）は図２（Ａ）で示すＢ矢視図であり、（Ｂ）は図２（Ａ）で示すＣ矢視図である。
【図４】本発明による空気調和機の実施例２を示す要部説明図で、（Ａ）は斜視図であり、（Ｂ）は（Ａ）で示すＡ矢視図であり、Ｃは（Ａ）で示すＢ矢視図である。
【図５】クロスフローファンの発生する圧力の時刻暦波形の重ね合わせを示すグラフである。
【符号の説明】
【００２５】
１  フロントガイダ
1a  スタビライザ
1a'   上端部
1b  舌部
２  リアガイダ
３  送風路
４  クロスフローファン
α，β  傾斜角
ａ  吸込口
ｂ  吹出口
ｃ  フィルタ
ｄ  自動清掃装置
ｅ  熱交換器
ｈ  高さ（高低差）
L1,L2   ギャップ部
【図１】
0004539855.tif 000002
【図２】
0004539855.tif 000003
【図３】
0004539855.tif 000004
【図４】
0004539855.tif 000005
【図５】
0004539855.tif 000006